(57)【要約】【課題】  ２本式工学式センサーを使用し、ビーム間を約１７ｍｍとし、０人〜３人までの通過する人数をｍｓｅｃ単位で判別（判断）でき、そのデータを基に各種表を作成することのできる入退出管理システムを提供する。【解決手段】  ２本式光学センサーによる入退出管理システムであって、２本式光学センサーの前を通過する時間により、同時に通過する人数を計測することを特徴とする入退出管理システム。【選択図】図１
2008047082.tif 000002
【特許請求の範囲】
【請求項１】
２本式光学センサーによる入退出管理システムであって、２本式光学センサーの前を通過する時間により、同時に通過する人数を計測することを特徴とする入退出管理システム。
【請求項２】
２本式光学センサーのビーム間を約１７ｍｍとしてなることを特徴とする請求項１記載の入退出管理システム。
【請求項３】
コントロールユニットにて１２０ｍｓｅｃ以下で通過した場合、０人と判断することを特徴とする請求項１又は２記載の入退出管理システム。
【請求項４】
コントロールユニットにて１２１ｍｓｅｃ以上８００ｍｓｅｃ以下で通過した場合、１人と判断することを特徴とする請求項１、２又は３記載の入退出管理システム。
【請求項５】
コントロールユニットにて８０１ｍｓｅｃ以上１８００ｍｓｅｃ以下で通過した場合、２人と判断することを特徴とする請求項１、２、３又は４記載の入退出管理システム。
【請求項６】
コントロールユニットにて１８０１ｍｓｅｃ以上２８００ｍｓｅｃ以下で通過した場合、３人と判断することを特徴とする請求項１、２、３、４又は５記載の入退出管理システム。
【請求項７】
コントロールユニットにて２８０１ｍｓｅｃ以上で通過した場合、立ち止まりと判断し、１人加算とすることを特徴とする請求項１、２、３、４、５又は６記載の入退出管理システム。
【請求項８】
２本式光学センサーによる入退出の人数をコントロールユニットにて計測し、そのデータをパーソナルコンピュータで分析し、入店、退店累計数、滞留数等を集計する店舗状況モニタリング表を作成することを特徴とする請求項１、２、３、４、５、６又は７記載の入退出管理システム。
【請求項９】
２本式光学センサーによる入退出の人数をコントロールユニットにて計測し、そのデータをパーソナルコンピュータで分析し、時間別、日別、曜日別、月別等を集計する店舗別集計表を作成することを特徴とする請求項１、２、３、４、５、６、７又は８記載の入退出管理システム。
【発明の詳細な説明】
【技術分野】
【０００１】  本発明は、主に店舗におけるお客様の出入のカウント精度を向上させてなる入退出管理システムに関するものである。
【背景技術】
【０００２】  従来の技術として、出入口を通過する物体を検出して検出信号を出力する通過検出手段と、前記出力された検出信号に基づいて通過した物体の数をカウントする計数手段と、を有する通過人員計数装置であって、前記計数手段は、前記出力される検出信号を２回に１度の割合でカウントすることを特徴とする通過人員計数装置がある。（特許文献１参照）【０００３】  また、別の従来技術として、通路上方に配置され、通路幅方向に沿ったスリット光を照射するスリット光照射手段と、前記スリット光の反射光を検出する受光手段と、前記スリット光の反射光の入射角度から三角測量原理に基づく演算処理を行い計測範囲の２次元画像を演算する２次元画像演算手段と、前記２次元画像に基づいて人数をカウントする人数カウント手段と、を備えたことを特徴とする人数計数装置がある。（特許文献２参照）
【特許文献１】  特開２００５−２５１０８０号公報
【特許文献２】  特開平８−１６１４５３号公報
【発明の開示】
【発明が解決しようとする課題】
【０００４】  上記前者において、目的は、バス等の乗車する人員をカウントするものであり、本目的とは異なり、出入口が狭く、一人一人が確実に入退出できるものであり、本発明のような１〜３人等、複数の人間を判断できるものではない。【０００５】  また、上記後者においても、２次元画像手段を用いて人数をカウントしてなるもので画像処理するための設備等が多大に係るものである。【０００６】  本発明は、このような従来の構成していた問題を解決しようとするもので、２本式工学式センサーを使用し、ビーム間を約１７ｍｍとし、０人〜３人までの通過する人数をｍｓｅｃ単位で判別（判断）でき、そのデータを基に各種表を作成することのできる入退出管理システムを提供することを目的とする。
【課題を解決するための手段】
【０００７】  本発明は、上記の目的を達成するため、２本式光学センサーによる入退出管理システムであって、２本式光学センサーの前を通過する時間により、同時に通過する人数を計測する。
２本式光学センサーのビーム間を約１７ｍｍとしてなること。
コントロールユニットにて１２０ｍｓｅｃ以下で通過した場合、０人と判断する。
コントロールユニットにて１２１ｍｓｅｃ以上８００ｍｓｅｃ以下で通過した場合、１人と判断する。
コントロールユニットにて８０１ｍｓｅｃ以上１８００ｍｓｅｃ以下で通過した場合、２人と判断する。
コントロールユニットにて１８０１ｍｓｅｃ以上２８００ｍｓｅｃ以下で通過した場合、３人と判断する。
コントロールユニットにて２８０１ｍｓｅｃ以上で通過した場合、立ち止まりと判断し、１人加算とする。
２本式光学センサーによる入退出の人数をコントロールユニットにて計測し、そのデータをパーソナルコンピュータで分析し、入店、退店累計数、滞留数等を集計する店舗状況モニタリング表を作成する。
２本式光学センサーによる入退出の人数をコントロールユニットにて計測し、そのデータをパーソナルコンピュータで分析し、時間別、日別、曜日別、月別等を集計する店舗別集計表を作成することを特徴とする。
【発明の効果】
【０００８】１）、２本式光学センサーを使用し、通過する人数を０人〜３人までを精度高くカウントできる。
２）、２本式光学センサーのビーム間を約１７ｍｍとすることにより、以下の通過時間にて通過人数を割り出すことができる。
３）、１２０ｍｓｅｃ以下で通過した場合、０人と判断することができる。
４）、１２１ｍｓｅｃ以上８００ｍｓｅｃ以下で通過した場合、１人と判断することができる。
５）、８０１ｍｓｅｃ以上１８００ｍｓｅｃ以下で通過した場合、２人と判断することができる。
６）、１８０１ｍｓｅｃ以上２８００ｍｓｅｃ以下で通過した場合、３人と判断することができる。
７）、２８０１ｍｓｅｃ以上で通過した場合、立ち止まったと判断し、１人加算（通過）とする。
８）、上記データ（出入する通過人数）を基に店舗状況モニタリング表を作成することができる。
９）、同じく、店舗別集計表を作成することができる。
１０）、出入するお客様の人数を正確に把握することにより、顧客離れ予測、広告効果測定、スタッフ配置の最適化、販売計画作成、競合店対策等が立案できる。
【発明の実施するための最良の形態】
【０００９】  １は、入退出管理システムである。
２は、２本式光学センサーで、送信器２ａと受信器２ｂより構成され、送信器２ａは、２本のビーム間ＢＫを約１７ｍｍとするのが望ましい。
なお、入店方向Ｎと退店方向Ｔは２本のビームで識別できるものである。
３は、コントロールユニットで、２本のビーム間ＢＫを１２０ｍｓｅｃ以下で通過した場合０人と判断し、１２１ｍｓｅｃ以上８００ｍｓｅｃ以下で通過した場合１人と判断し、８０１ｍｓｅｃ以上１８００ｍｓｅｃ以下で通過した場合２人と判断し、１８０１ｍｓｅｃ以上２８００ｍｓｅｃ以下で通過した場合３人と判断し、２８０１ｍｓｅｃ以上で通過した場合立ち止まったと判断し１人加算（通過）とするものである。
４は、パーソナルコンピュータで、入店・退店累計数や滞留数等のデータを集計し表示してなる店舗状況モニタリング表５や時間別、日別、曜日別、月別等のデータを集計し、店舗別集計表６を作成する。
【００１０】  なお、上記各表は他にも色々考えられるものである。
また、従来の光学センサー（１本）による入退カウントの誤差が２０％〜３０％あったのに対し、５％以下に抑えることができ、非常に精度高いデータを得ることができた。
さらに、２本式光学センサーの取り付け高さは、６０ｃｍ〜１００ｃｍが適当と思われ、送信器と受信器の距離はＭＡＸ１５ｍとするのが望ましい。
【図面の簡単な説明】
【００１１】
【図１】  本発明の入退出管理システムの構成図である。
【図２】  本発明の２本式光学センサーの要部図面。
【符号の説明】
【００１２】１−−−入退出管理システム。
２−−−２本式光学センサー
２ａ−−受信器
２ｂ−−送信器
３−−−コントロールユニット
４−−−パーソナルコンピュータ
５−−−店舗状況モニタリング表
６−−−店舗別集計表
ＢＫ−−ビーム間
Ｎ−−−入店方向
Ｔ−−−退店方向
Ｂ１−−ボルト
【図１】
2008047082.tif 000003
【図２】
2008047082.tif 000004